(57)【特許請求の範囲】
【請求項１】
頭髪に存在するシラミおよび寄生虫の卵を保持して引きずり出すための粗い手段を備えた複数の歯が突き出ているグリップハンドルを備えるタイプの、アタマジラミを処置するための櫛であって、前記粗い手段は、各々の前記歯の表面上に規定された複数の連続的な溝または谷によって形成され、前記櫛の特有の特徴は、
前記溝または谷の各々が、その側面のうちの少なくとも一方に、歯の各々のこのような少なくとも１つの長手方向部分の前記表面を超える隆起したフランジを有していることである、櫛。
【請求項２】
前記歯は０．０５ｍｍ〜０．１ｍｍの距離で間隔が空いており、前記隆起したフランジは前記歯の表面から上方に０．００５ｍｍ〜０．０４ｍｍだけ延在している、請求項１に記載の櫛。
【請求項３】
前記溝は、歯の周囲に周方向に延在しており、０．５ｍｍ〜４ｍｍの距離で間隔が空いている、請求項２に記載の櫛。
【請求項４】
前記溝は歯の周囲に螺旋状の態様で延在しており、螺旋状の前記溝は０．５ｍｍ〜４ｍｍの寸法の通路を有する、請求項２に記載の櫛。
【請求項５】
前記隆起したフランジの各々は鋭い上端を有する、請求項１から４のいずれかに記載の櫛。
【請求項６】
前記隆起したフランジの各々は滑らかに丸みを帯びた上端を有する、請求項１から４のいずれかに記載の櫛。
【請求項７】
隣接する歯同士の隆起したフランジは互いに対向しない、請求項１から６のいずれかに記載の櫛。
【請求項８】
隣接する歯同士の隆起したフランジは互いに対向している、請求項１から６のいずれかに記載の櫛。
【請求項９】
前記隆起したフランジは、各溝の両側面に存在している、請求項１から８のいずれかに記載の櫛。
【請求項１０】
請求項１から９のいずれかに記載の櫛の歯上に溝および隆起したフランジを形成する方法であって、
圧力積層のためのツールの作用を前記櫛の歯の各々に受けさせて前記溝を形成し、溝に隣接した材料を溝の少なくとも一方の側面の方に移動させるために、前記歯の表面に対して傾斜した方向に圧力をかけ、このようにして溝の少なくとも前記側面上に前記フランジを形成するステップをさらに備える、方法。
【請求項１１】
前記積層ツールは、溝に隣接した材料を溝の両側面の方に移動させるために前記歯の表面に対して垂直な力をかけ、このようにして溝の両側面上に前記フランジを形成する、請求項１０に記載の方法。
【発明の詳細な説明】
【技術分野】
【０００１】
発明の技術水準
発明の分野
本発明は、頭髪に付着した寄生虫の卵またはシラミの卵を除去する目的でシラミを処置するために用いられる器具の分野に関し、より特定的には、本発明は、頭髪に損傷を与えることなく、公知の櫛および器具よりも効果的に寄生虫の卵およびアタマジラミを除去することができる、シラミ寄生症を処置するための新たな櫛に関する。
【背景技術】
【０００２】
先行技術の説明
シラミ寄生症は、あらゆる種類の地域の数えきれないほどの人々に影響を及ぼす問題であり、生徒集団の中では障害になる。なぜなら、学齢期の子供は、在籍している教育機関で同級生と接触したときにシラミ寄生症に容易に感染するためである。
【０００３】
アタマジラミは、頭髪に住み着き、公知の寄生虫の卵、すなわち、一般にシラミとして知られているヒトジラミ、ケジラミおよび類似の種の卵を産む。
【０００４】
この感染症を処置するために多くの化合物が開発され、化学薬品を塗布したときと同様にシラミおよび寄生虫の卵を除去することによってこの感染症を処置し、したがって副作用を引起すことのないよう意図されたいくつかの櫛も開発されてきた。多数の歯または鋼線が取付けられたハンドルを備えるさまざまな櫛の構成があり、隣接する歯同士の間に頭髪だけをしっかりと通すことができ、その結果、そこに付着したもの、特に寄生虫の卵が櫛の歯の間に保持されるように、歯または鋼線を離すことが研究されている。したがって、患者の頭髪全体に櫛を通すことにより、できる限り多くの寄生虫の卵の除去を達成できる。
【０００５】
より上手く寄生虫の卵を除去するという目標を最も効果的に達成した櫛のうちの１つは、本発明の所有者によって所有されているアルゼンチン特許ＡＲ  ０３２７５  Ｂ１およびその対応の米国特許第５．８７３．３７４号に開示された櫛であり、これらには、より具体的に特許請求の範囲に規定されているように、その周囲面に凹凸を有する針を備えた洗浄用櫛であって、ハンドルと、好ましくは鋼製の複数の歯、ワイヤまたは針とを備え、各々の針は、ハンドルに取付けられた端部と、攻撃端部と、周囲面とを有し、各々の針の攻撃端部は、丸みを帯びた鋭い先端を有する、洗浄用櫛について記載されている。これらの特許の概念によれば、先行技術に対するこの櫛の新規性は、各々の針の周囲面が、頭髪に付着した寄生虫の卵を捕まえて引きずり出すように設計された凹凸を備えていることである。この櫛は、隣接する針同士の間の距離が５０μｍ〜１００μｍであり、各々の針の全長が４０〜８０ｍｍの範囲であり、ハンドルの外側の有効長が２０〜６０ｍｍの範囲であるなどの他の特徴も有している。
【０００６】
アルゼンチン特許ＡＲ  ０３２７５  Ｂ１およびその対応の米国特許において言及される凹凸特徴は好ましくは、たとえば４ｍｍよりも狭い通り道を有する螺旋状の溝を設けることに基づいている。この凹凸は、互いからの距離が０．５〜３ｍｍである周方向溝によっても形成でき、これらの経路は深さが０．２ｍｍ未満であってもよい。
【０００７】
さらに、この公知の櫛は、鋼でできており、針の数が１０〜１００本であり、より正確には３３本であり、針の攻撃端縁がともに湾曲した端縁を形成するという事実などの他の特徴を有している。
【０００８】
アルゼンチン特許ＡＲ  ０３２７５  Ｂ１およびその対応の米国特許第５．８７３．３７４号におけるガターまたは溝は、両方の特許にも示され保護されているように、機械加工によって得られるが、特に切削工具によって得られる。実際、アルゼンチン特許でもその対応の米国特許でも、所与の力の作用下で歯の表面上で動作する切削工具の作用を歯または針に受けさせることによってガター、溝またはリッジが得られることが強調されている。
【発明の概要】
【発明が解決しようとする課題】
【０００９】
これらのガターまたは溝が寄生虫の卵の除去にかなり効果的であると実証されていることを認めなければならないが、長年にわたる使用の結果、これらのガター、溝またはリッジには修正可能な少なくとも２つの欠点があることもわかってきた。それらの欠点のうちの１つは、材料の切削または除去により形成されたガターまたは溝が、粗過ぎて研磨性があり過ぎる、寄生虫の卵を引きずり出すのに効果的であるが人間の頭髪にやや有害である微視的表面をもたらすという事実に基づいている。
【００１０】
アルゼンチン特許ＡＲ  ０３２７５  Ｂ１下の櫛をさらに改善させる可能性に関する第２の局面は、ガターまたは溝を設けることが寄生虫の卵を保持して引きずり出す点で改善を意味しているが、寄生虫の卵の中には実際にこれらのガターをかわして切抜け、歯と歯の間に保持されないことに成功するものもいるという事実に対処しなければならない。これらの溝の目的は、鋭い端縁を設けて歯の平滑な表面を遮り、その結果、その形状を突然変化させて、寄生虫の卵のためのトラップをそこに置くことである。しかしながら、この概念を改善できるであろうということが時間に沿って観察されてきた。
【００１１】
上記の理由で、本発明者らは、当該技術分野において公知の櫛によって得られるものよりもはるかに効率的かつ効果的な除去を達成するために、アタマジラミを処置するための櫛の歯の機能的側面を改善することを目指している。
【課題を解決するための手段】
【００１２】
発明の簡単な説明
したがって、本発明の目的のうちの１つは、頭髪に損傷を与えることなく寄生虫の卵、埃およびシラミを保持し、捕まえて、引きずり出すことができる表面手段を備えた針、歯またはワイヤを備える、アタマジラミを処置するための新たな櫛を提供することである。
【００１３】
本発明のさらに別の目的は、櫛の歯または針に作られた溝またはガターによるだけでなく、歯同士の切離しの突然の変化または減少によっても、頭髪に付着した寄生虫の卵および異物の効果的な除去を確実にする、アタマジラミを処置するための新たな櫛を提供することである。
【００１４】
本発明のさらに別の目的は、グリップハンドルと複数の歯とを備え、各々が、頭髪に存在するシラミおよび寄生虫の卵を捕らえて引きずり出すよう意図された連続的な溝または谷を備え、各々の溝または谷は、その側面の少なくとも一方に、隆起したフランジを有している、アタマジラミを処置するための櫛を提供することである。
【００１５】
本発明のさらに別の目的は、頭髪に存在するシラミおよび寄生虫の卵を保持して引きずり出すための粗い手段を備えた多数の歯が出ているグリップハンドルを備えたタイプの、アタマジラミを処置するための櫛を提供することである。これらの粗い手段は、上記歯の各々の少なくとも１つの長手方向部分の表面上に規定された多数の連続的な溝または谷によって形成され、上記溝または谷の各々は、その側面のうちの少なくとも一方に、各々の歯のこのような少なくとも１つの長手方向部分の上記表面を超える隆起したフランジを有している。
【００１６】
本発明のさらに別の目的は、ハンドルと好ましくは金属製の複数の歯またはピンまたはワイヤを備える、アタマジラミを処置するための櫛の歯上に溝および隆起したフランジを形成する方法であって、圧力により上記溝を形成する積層ツールの作用を櫛の歯の各々に受けさせて、溝に隣接した材料を溝の少なくとも一方の側面に移動させるために、歯の上記表面に対して傾斜した力ベクトルとしてこの圧力をかけ、このようにして溝の少なくとも上記一方の側面にこのようなフランジを形成する段階を備える、方法を提供することである。
【００１７】
本発明の主題を明確にして理解できるようにするために、いくつかの図面に本発明が示され、図中、本発明はほんの一例として好ましい表現形態のうちの１つに示されている。
【図面の簡単な説明】
【００１８】
【図１】本発明に係るアタマジラミを処置するための櫛の正面図である。
【図２】螺旋状の溝を有する図１中の櫛の歯の部分断面平面図である。
【図３】周方向溝を有する図１中の櫛の歯の部分断面平面図である。
【図４】図１および図２中の櫛の歯の一部のより詳細な図である。
【図５】図１および図２中の櫛の３本の歯のより詳細な正面図である。
【図６】図５中の円で囲まれた詳細の断面図である。
【図７】溝の一方の側面にのみ隆起したフランジを残して櫛の歯の表面上に溝を生成する圧力ツールの部分断面図である。
【図８】溝の両側面に隆起したフランジを残して櫛の歯の表面上に溝を生成する圧力ツールの部分断面図である。
【発明を実施するための形態】
【００１９】
発明の詳細な説明
ここで図面を参照して、本発明は、互いに平行にハンドル２から延在し、本発明と同じ発明者および保有者によるアルゼンチン特許ＡＲ  ０３２７５  Ｂ１下の櫛で効率的であることが既に実証されている距離であるたとえば５０μｍおよび１００μｍの距離を維持する複数の歯３が取付けられたグリップハンドル２を備えるタイプの、アタマジラミを処置するための櫛（一般参照番号１によって示される）であることがわかる。同様に、歯または針の全長は４０〜８０ｍｍの範囲であり得て、ハンドルの外側の有効長は２０〜６０ｍｍの範囲であり得る。上記の特許では、歯または針は、頭髪に存在する寄生虫の卵およびシラミを保持して引きずり出すための粗い手段を備えていた。これらの手段は、いくつかある選択肢の中で特に、上記歯の各々の少なくとも１つの長手方向部分の表面上に規定された多数の連続的な溝または谷によって形成される可能性があることが開示されていた。針または歯３の端部４は好ましくは、頭皮に対する損傷を防ぐためにやや円錐形の形状に仕上げられている。
【００２０】
図２〜図６に示されるように、本発明はまた、歯の各々の少なくとも１つの長手方向部分に沿って螺旋状の溝または谷のパターン５または周方向の溝または谷のパターン６を規定するように選択した。しかしながら、本発明の概念は、これら２つの構成に縛られるものではなく、これらが患者またはユーザの頭髪に付着した寄生虫の卵、シラミおよび異物のための把持および引きずり出しトラップを形成するよう意図されているならば、溝、くぼみまたは谷の如何なるパターンまたは構成にも適用可能であることは注目に値する。
【００２１】
より正確には、本発明によればおよび図６〜図８に最もよく示されているように、螺旋状の溝もしくは谷５または周方向の溝もしくは谷６は各々、その側面のうちの少なくとも一方に、歯３の円筒形の概して平滑な表面を超える、高くなったフランジ７を有している。歯は、距離９だけ互いに離れており、距離９の大きさは、設計条件に応じ、既に上述した値の範囲内である。好ましくは、２つのフランジ７および８が、溝の両側面に配置されるように、溝５または６の各側面に１つ設けられる。しかしながら、注目すべきは、単一のフランジでも所望の効果を達成できることである。さらに、フランジ７，８は、所望の構成、使用される材料などに応じて、鋭い端縁またはやや丸みを帯びた端縁を規定し得る頂部１０を有していてもよい。
【００２２】
歯は、たとえば５０μｍ〜１００μｍの距離だけ間隔が空いていてもよく、上記隆起したフランジは、好ましくは上記歯の表面「Ｓ」から上方に０．００５ｍｍ〜０．０４ｍｍだけ、より好ましくは０．０１ｍｍの最大距離で延在している。これらの周方向溝は０．５ｍｍ〜４ｍｍの距離だけ間隔が空いていてもよく、上記螺旋状の溝は０．５ｍｍ〜４ｍｍの螺旋状の通路を有していてもよい。いずれの場合にも、螺旋状のまたは周方向の溝の間隔は、好ましくは少なくとも０．２ｍｍであるべきである。螺旋状の溝の場合、通常のねじのように螺旋ピッチは好ましくは直角であり、すなわち、ねじが時計回りに回転すれば、ねじは前進するであろう。
【００２３】
さらに、隣接する歯の溝は、隣接する歯の隆起したフランジ７および８が図５および図６に示されるように互いに位相がずれているかまたは互いに対向するように配置されていてもよい。いずれの場合にも、２つの隣接する歯同士の間の距離９は次第に小さくなり、したがって寄生虫の卵または異物１２を保有する頭髪１１の通路を制限する。
【００２４】
隆起したフランジ７，８の形成を達成する１つの方法として、公知の手順とは異なって、本発明は、櫛１の歯３上に溝５，６および隆起したフランジ７，８を形成する方法を提供する。実際に、アルゼンチン特許ＡＲ  ０３２７５  Ｂ１下のものを含む先行技術の櫛の歯の凹凸および溝は、歯の表面を機械加工するための切削工具を用いることにより達成され、非常に粗くかつ頭髪に対して研磨性がある溝をもたらす一方、本発明は、公知の櫛の２つの問題をうまく解決する異なる方法を利用する。一方の問題は溝の研磨性であり、他方の問題はより効果的に寄生虫の卵を捕らえるのに十分な構造が歯にないことである。
【００２５】
本発明によれば、溝は切削ではなく積層技術を用いて作られ、より特定的には、圧力によりこのような溝５，６を形成する積層ツール１３の作用を櫛の歯の各々に受けさせることにある、歯の材料を変形させる単一の段階が実行される。溝に隣接した材料をその側面のうちの少なくとも一方に移動させるために、図７に示されるように上記歯の表面「Ｓ」に対して傾斜し得る力ベクトルＦ１に従って上記圧力をかけて、溝の少なくともその側面上に上記フランジ７を形成する。
【００２６】
代替的に、本発明の方法は、溝に隣接した材料を溝の両側面の方に移動させるために、歯３の表面に対して垂直な力Ｆ２をかけ、このようにして溝の両側面上に上記フランジ７，８を形成する、図８に示されるような積層ツール１４を利用してもよい。
【００２７】
この製造プロセスは冷間圧延であり、溝またはスロット５は、たとえばツールを通るときにワイヤを中心としてツールを回転させることによってなされることができる。実際、ツール１３または１４は単一である場合もあれば複数である場合もある。
【００２８】
本発明は、先行技術を超える進歩を示す。たとえば、アルゼンチン特許ＡＲ  ０３２７５  Ｂ１は、９０°のその動きで寄生虫の卵をスリットに入れ、寄生虫の卵が歯のくぼみに入る限りは寄生虫の卵を捕まえることに成功していた。１つまたは２つのフランジ７，８を有する本発明では、寄生虫の卵のための最も攻撃的な領域、すなわちフランジおよび溝を延長することができ、さらなるトラップを提供する突出部を生成することもできる。ここで、寄生虫の卵は、同じ発明者らによる特許のくぼみに入るであろう頻度よりも頻繁にフランジに衝突する。
【００２９】
本発明のフランジにより２つの効果が達成され、粗面化が大きくなるにつれて寄生虫の卵を捕まえる確率が上昇する。ここで、それはむしろ円筒の母線に沿って延在しており、したがって寄生虫の卵との遭遇を容易にする。寄生虫の卵の動きに対してたとえば９０°で突き出したリムは、その経路内の寄生虫の卵を引きずり出すおよび／または壊す。これらの櫛を頭部に通すやり方に注意を払うことによって、頭髪の寄生虫の卵に対する、溝およびフランジを有する歯の動きが、歯に対して垂直な成分を有するようになり、その軸の方向に別の成分を有するようになる、ということに注目できる。その場合、溝に対する寄生虫の卵の動きの組合せは、その進路からほぼ９０°である。すなわち、櫛を通すことによって、頭髪に付着した寄生虫の卵はフランジまたは溝と係合する。
【００３０】
図６は、接触形状と、フランジおよび溝によって引張られる、頭髪に付着した寄生虫の卵とを見ることができる歯の長手方向断面を示す。この図に示されているように、各フランジ７，８の高さ「Ｈ」は０．０４ｍｍを超えないであろう。
【００３１】
本発明を改善する他の局面は、製造プロセスに削り屑の除去がない場合に、歯の材料が積層圧力下で塑性状態を取り、移動して端縁上に堆積し、このようにしてフランジ７，８を形成することである。そのため、このようにして得られた内部溝表面は研磨性がない一方、その隆起したフランジは非常に攻撃的である。
【００３２】
製造プロセスで用いられる圧延方法は、櫛の効力の重要な変数である歯の曲げ抵抗も改善する。この改善は、結果として生じる切込みが削り屑の除去の場合のように材料の繊維を切断しないという事実のためである。
【図１】
0005559347.tif 000002
【図２】
0005559347.tif 000003
【図３】
0005559347.tif 000004
【図４】
0005559347.tif 000005
【図５】
0005559347.tif 000006
【図６】
0005559347.tif 000007
【図７】
0005559347.tif 000008
【図８】
0005559347.tif 000009